(57)【要約】      （修正有）【課題】データを取得するための電子ペーパによる通信時間を短くすることができると共に、データの利用開始日時までに当該データの配信を完了することができる情報配信システムを提供する。【解決手段】本発明の情報配信サーバ２０は、新たなデータの取得要求を電子ペーパ３０から受信した場合に、データを配信するために電子ペーパ３０との間で確立している接続の数が閾値に達しているならば、当該新たなデータ取得要求に応じて配信すべきデータおよび確立されている接続において送信中のデータの中で、データの利用を開始する日時までの残り時間が最も長いデータの配信を延期する。【選択図】図１
2008071155.tif 000002
【特許請求の範囲】
【請求項１】
クライアントからの要求に応じて、当該クライアントにデータを配信する情報配信サーバであって、
クライアントからのデータ取得要求を識別する要求ＩＤ毎に、当該要求ＩＤを含むデータ取得要求に応じてクライアントへ配信されるべきコンテンツの中で、未配信のコンテンツであり、かつ、最初に利用されるコンテンツの利用開始日時を格納する利用スケジュール格納手段と、
クライアントとの間で確立されている接続において、当該接続が確立される契機となったデータ取得要求に含まれる要求ＩＤを格納する接続状況格納手段と、
新たなデータ取得要求をクライアントから受信した場合に、前記接続状況格納手段を参照して、
前記接続状況格納手段内の要求ＩＤの数が予め定められた閾値以上である場合には、前記利用スケジュール格納手段を参照して、前記新たなデータ取得要求に含まれる要求ＩＤに対応する利用開始日時および前記接続状況格納手段内の要求ＩＤに対応する利用開始日時の中で、利用開始日時までの残り時間が最も長い要求ＩＤを抽出し、
抽出した要求ＩＤが前記新たなデータ取得要求に含まれる場合には、当該新たなデータ取得要求を拒否し、
抽出した要求ＩＤが前記接続状況格納手段内に格納されている場合には、当該要求ＩＤに対応するデータ取得要求を送信してきたクライアントとの間の接続を中断するデータ配信制御手段と
を備えることを特徴とする情報配信サーバ。
【請求項２】
請求項１に記載の情報配信サーバであって、
前記データ配信制御手段は、
前記新たなデータ取得要求を拒否する場合に、当該データ取得要求に含まれる要求ＩＤおよび次回の要求日時を含む延期指示を、当該データ取得要求を送信してきたクライアントへ送信し、
確立されている接続を中断する場合に、中断した接続に対応する要求ＩＤおよび次回の要求日時を含む中断指示を、当該中断した接続に対応するクライアントへ送信することを特徴とする情報配信サーバ。
【請求項３】
請求項２に記載の情報配信サーバであって、
前記要求ＩＤ毎に、当該要求ＩＤを含むデータ取得要求がクライアントによって送信されるべき日時を格納する要求日時格納手段をさらに備え、
前記データ配信制御手段は、
データ取得要求に対応するデータの配信が終了した場合に、クライアントへデータ取得要求の次回の要求日時を通知し、
データ取得要求に対応するデータの配信が終了した場合、データ取得要求を拒否した場合、またはデータの配信を中断した場合に、クライアントへ通知した次回の要求日時を、当該要求日時において送信されるべきデータ取得要求の要求ＩＤに対応付けて前記要求日時格納手段に格納し、
前記次回の要求日時を決定する場合に、前記要求日時格納手段を参照して、同時接続数が前記閾値以下となるように、当該次回の要求日時を決定することを特徴とする情報配信サーバ。
【請求項４】
請求項３に記載の情報配信サーバであって、
前記データ配信制御手段は、
データ取得要求に応じて配信すべきコンテンツを、所定単位の分割データに分割して送信し、
前記接続状況格納手段は、
クライアントとの間で確立されている接続において配信済みの分割データを示す配信済み情報を、前記要求ＩＤに対応付けてさらに格納し、
前記要求日時格納手段は、
前記要求ＩＤ毎に、当該要求ＩＤを含むデータ取得要求において未配信の分割データを示す未配信情報をさらに格納し、
前記データ配信制御手段は、
確立している接続を中断する場合に、前記接続状況格納手段内の配信済み情報を参照して、前記未配信情報を生成し、生成した未配信情報を、中断した接続に対応する要求ＩＤに対応付けて前記要求日時格納手段に格納し、
クライアントからの新たなデータ取得要求に対してデータを配信する場合に、前記要求日時格納手段を参照して、当該新たなデータ取得要求に含まれる要求ＩＤに対応付けて未配信情報が前記要求日時格納手段内に格納されているならば、当該未配信情報に示されている分割データから配信を再開することを特徴とする情報配信サーバ。
【請求項５】
請求項４に記載の情報配信サーバであって、
前記データ配信制御手段は、
確立している接続を中断する場合に、現在配信中の分割データの配信が終了してから当該接続を中断することを特徴とする情報配信サーバ。
【請求項６】
請求項４または５に記載の情報配信サーバであって、
前記分割データは、ファイル単位のデータであることを特徴とする情報配信サーバ。
【請求項７】
請求項１から６のいずれか一項に記載の情報配信サーバであって、
前記データ配信制御手段は、
データ取得要求に応じて、コンテンツの利用順番を示す利用情報を配信した後に、当該利用情報に示されているコンテンツを、当該利用情報を参照して、先に利用されるものから順番に配信することを特徴とする情報配信サーバ。
【請求項８】
請求項１から７のいずれか一項に記載の情報配信サーバであって、
前記接続状況格納手段は、
クライアントとの間で確立されている接続において、配信されるべきデータに対する配信が終了した割合を示す配信終了割合を、前記要求ＩＤに対応付けてさらに格納し、
前記データ配信制御手段は、
前記残り時間が最も長い要求ＩＤが前記利用スケジュール格納手段内に複数存在する場合に、前記配信終了割合が最も高い要求ＩＤを、中断させる接続に対応する要求ＩＤとして抽出することを特徴とする情報配信サーバ。
【請求項９】
請求項１から８のいずれか一項に記載の情報配信サーバであって、
前記コンテンツは、静止画像、動画像、テキスト、またはそれらの組み合わせを含むことを特徴とする情報配信サーバ。
【請求項１０】
クライアントからの要求に応じて、当該クライアントにデータを配信する情報配信サーバにおける情報配信方法であって、
前記情報配信サーバが、
新たなデータ取得要求をクライアントから受信した場合に、クライアントとの間で確立されている接続において、当該接続が確立される契機となったデータ取得要求に含まれる要求ＩＤを格納する接続状況格納手段を参照して、
前記接続状況格納手段内の要求ＩＤの数が予め定められた閾値以上である場合には、クライアントからのデータ取得要求を識別する要求ＩＤ毎に、当該要求ＩＤを含むデータ取得要求に応じてクライアントへ配信されるべきコンテンツの中で最初に利用されるコンテンツの利用開始日時を格納する利用スケジュール格納手段を参照して、前記新たなデータ取得要求に含まれる要求ＩＤに対応する利用開始日時および前記接続状況格納手段内の要求ＩＤに対応する利用開始日時の中で、利用開始日時までの残り時間が最も長い要求ＩＤを抽出し、
抽出した要求ＩＤが前記新たなデータ取得要求に含まれる場合には、当該新たなデータ取得要求を拒否し、
抽出した要求ＩＤが前記接続状況格納手段内に格納されている場合には、当該要求ＩＤに対応するデータ取得要求を送信してきたクライアントとの間の接続を中断すること
を特徴とする情報配信方法。
【請求項１１】
請求項１０に記載の情報配信方法であって、
前記情報配信サーバは、
前記新たなデータ取得要求を拒否する場合に、当該データ取得要求に含まれる要求ＩＤおよび次回の要求日時を含む延期指示を、当該データ取得要求を送信してきたクライアントへ送信し、
確立されている接続を中断する場合に、中断した接続に対応する要求ＩＤおよび次回の要求日時を含む中断指示を、当該中断した接続に対応するクライアントへ送信することを特徴とする情報配信方法。
【請求項１２】
請求項１１に記載の情報配信方法であって、
前記情報配信サーバは、
データ取得要求に対応するデータの配信が終了した場合に、クライアントへデータ取得要求の次回の要求日時を通知し、
データ取得要求に対応するデータの配信が終了した場合、データ取得要求を拒否した場合、またはデータの配信を中断した場合に、クライアントへ通知した次回の要求日時を、当該要求日時において送信されるべきデータ取得要求の要求ＩＤに対応付けて要求日時格納手段に格納し、
前記次回の要求日時を決定する場合に、前記要求日時格納手段を参照して、同時接続数が前記閾値以下となるように、当該次回の要求日時を決定することを特徴とする情報配信方法。
【請求項１３】
請求項１２に記載の情報配信方法であって、
前記接続状況格納手段には、
クライアントとの間で確立されている接続において配信済みの分割データを示す配信済み情報が、前記要求ＩＤに対応付けてさらに格納されており、
前記要求日時格納手段には、
前記要求ＩＤ毎に、当該要求ＩＤを含むデータ取得要求において未配信の分割データを示す未配信情報がさらに格納されており、
前記情報配信サーバは、
データ取得要求に応じて配信すべきコンテンツを、所定単位の分割データに分割して送信し、
確立している接続を中断する場合に、前記接続状況格納手段内の配信済み情報を参照して、前記未配信情報を生成し、生成した未配信情報を、中断した接続に対応する要求ＩＤに対応付けて前記要求日時格納手段に格納し、
クライアントからの新たなデータ取得要求に対してデータを配信する場合に、前記要求日時格納手段を参照して、当該新たなデータ取得要求に含まれる要求ＩＤに対応付けて未配信情報が前記要求日時格納手段内に格納されているならば、当該未配信情報に示されている分割データから配信を再開することを特徴とする情報配信方法。
【請求項１４】
請求項１３に記載の情報配信方法であって、
前記情報配信サーバは、
確立している接続を中断する場合に、現在配信中の分割データの配信が終了してから当該接続を中断することを特徴とする情報配信方法。
【請求項１５】
請求項１３または１４に記載の情報配信方法であって、
前記分割データは、ファイル単位のデータであることを特徴とする情報配信方法。
【請求項１６】
請求項１０から１５のいずれか一項に記載の情報配信方法であって、
前記情報配信サーバは、
データ取得要求に応じて、コンテンツの利用順番を示す利用情報を配信した後に、当該利用情報に示されているコンテンツを、当該利用情報を参照して、先に利用されるものから順番に配信することを特徴とする情報配信方法。
【請求項１７】
請求項１０から１６のいずれか一項に記載の情報配信方法であって、
前記接続状況格納手段には、
クライアントとの間で確立されている接続において、配信されるべきデータに対する配信が終了した割合を示す配信終了割合が、前記要求ＩＤに対応付けてさらに格納されており、
前記情報配信サーバは、
前記残り時間が最も長い要求ＩＤが前記利用スケジュール格納手段内に複数存在する場合に、前記配信終了割合が最も高い要求ＩＤを、中断させる接続に対応する要求ＩＤとして抽出することを特徴とする情報配信方法。
【請求項１８】
請求項１０から１７のいずれか一項に記載の情報配信方法であって、
前記コンテンツは、静止画像、動画像、テキスト、またはそれらの組み合わせを含むことを特徴とする情報配信方法。
【請求項１９】
クライアントからの要求に応じて、当該クライアントにデータを配信する情報配信サーバを制御するプログラムであって、
前記情報配信サーバを、
クライアントからのデータ取得要求を識別する要求ＩＤ毎に、当該要求ＩＤを含むデータ取得要求に応じてクライアントへ配信されるべきコンテンツの中で最初に利用されるコンテンツの利用開始日時を格納する利用スケジュール格納手段、
クライアントとの間で確立されている接続において、当該接続が確立される契機となったデータ取得要求に含まれる要求ＩＤを格納する接続状況格納手段、および
新たなデータ取得要求をクライアントから受信した場合に、前記接続状況格納手段を参照して、
前記接続状況格納手段内の要求ＩＤの数が予め定められた閾値以上である場合には、前記利用スケジュール格納手段を参照して、前記新たなデータ取得要求に含まれる要求ＩＤに対応する利用開始日時および前記接続状況格納手段内の要求ＩＤに対応する利用開始日時の中で、利用開始日時までの残り時間が最も長い要求ＩＤを抽出し、
抽出した要求ＩＤが前記新たなデータ取得要求に含まれる場合には、当該新たなデータ取得要求を拒否し、
抽出した要求ＩＤが前記接続状況格納手段内に格納されている場合には、当該要求ＩＤに対応するデータ取得要求を送信してきたクライアントとの間の接続を中断するデータ配信制御手段
として機能させることを特徴とするプログラム。
【発明の詳細な説明】
【技術分野】
【０００１】
本発明は、クライアントからの要求に応じて、当該クライアントにデータを配信する情報配信技術に関する。
【背景技術】
【０００２】
特許文献１には、新たな要求をクライアントから受信した場合に、データを配信するためにクライアントとの間に確立している接続数が所定値以上ならば、確立中の接続のそれぞれについて終了時間を予想し、当該新たな要求を送信してきたクライアントへリトライ時刻を通知する技術が開示されている。これにより、サーバの処理負荷を低減することができると共に、クライアントがデータを取得するための要求を無駄にリトライすることを防止することができる。
【０００３】
また、特許文献２には、クライアントからのデータ取得要求を受信し、クライアントを代理してサーバからデータを取得する技術が開示されている。これにより、複数のクライアントから同一のデータを取得するための要求を処理することによりサーバに発生する処理負荷を低減することができると共に、データの受信待ちによってクライアントの処理が中断することを防止することができる。
【０００４】
【特許文献１】特開２００３−２０８４０１号公報
【特許文献２】特開平１１−１７６９９号公報
【発明の開示】
【発明が解決しようとする課題】
【０００５】
ところで、クライアントによってサーバから取得されるデータの中には、広告等のように、利用される期間が予め定められているものがある。このようなデータは、当該データに定められた期間の前までにクライアントに配信される必要がある。
【０００６】
しかし、上記した特許文献１または２に開示された技術では、サーバの処理負荷の低減やクライアントの通信時間の短縮化は達成されるものの、配信されるデータの利用開始日時が考慮されていない。そのため、利用開始日時が定められているデータを扱うシステムにおいては、クライアントによるデータの取得が、当該データの利用開始日時に間に合わない場合がある。
【０００７】
本発明は上記事情を鑑みてなされたものであり、本発明の目的は、データを取得するためのクライアントによる通信時間を短くすると共に、データの利用開始日時までに当該データの配信を完了することにある。
【課題を解決するための手段】
【０００８】
上記課題を解決するために、本発明は、新たなデータ取得要求をクライアントから受信した場合に、データを配信するためにクライアントとの間で確立している接続の数が閾値以上ならば、当該新たなデータ取得要求に応じて配信すべきデータおよび確立されている接続において送信中のデータの中で、当該データの利用が開始される日時までの残り時間が最も長いデータの配信を延期する。
【０００９】
例えば、本発明の第１の態様は、クライアントからの要求に応じて、当該クライアントにデータを配信する情報配信サーバであって、クライアントからのデータ取得要求を識別する要求ＩＤ毎に、当該要求ＩＤを含むデータ取得要求に応じてクライアントへ配信されるべきコンテンツの中で最初に利用されるコンテンツの利用開始日時を格納する利用スケジュール格納手段と、クライアントとの間で確立されている接続において、当該接続が確立される契機となったデータ取得要求に含まれる要求ＩＤを格納する接続状況格納手段と、新たなデータ取得要求をクライアントから受信した場合に、接続状況格納手段を参照して、接続状況格納手段内の要求ＩＤの数が予め定められた閾値以上である場合には、利用スケジュール格納手段を参照して、新たなデータ取得要求に含まれる要求ＩＤに対応する利用開始日時および接続状況格納手段内の要求ＩＤに対応する利用開始日時の中で、利用開始日時までの残り時間が最も長い要求ＩＤを抽出し、抽出した要求ＩＤが新たなデータ取得要求に含まれる場合には、当該新たなデータ取得要求を拒否し、抽出した要求ＩＤが接続状況格納手段内に格納されている場合には、当該要求ＩＤに対応するデータ取得要求を送信してきたクライアントとの間の接続を中断するデータ配信制御手段とを備えることを特徴とする情報配信サーバを提供する。
【００１０】
また、本発明の第２の態様は、クライアントからの要求に応じて、当該クライアントにデータを配信する情報配信サーバにおける情報配信方法であって、情報配信サーバが、新たなデータ取得要求をクライアントから受信した場合に、クライアントとの間で確立されている接続において、当該接続が確立される契機となったデータ取得要求に含まれる要求ＩＤを格納する接続状況格納手段を参照して、接続状況格納手段内の要求ＩＤの数が予め定められた閾値以上である場合には、クライアントからのデータ取得要求を識別する要求ＩＤ毎に、当該要求ＩＤを含むデータ取得要求に応じてクライアントへ配信されるべきコンテンツの中で最初に利用されるコンテンツの利用開始日時を格納する利用スケジュール格納手段を参照して、新たなデータ取得要求に含まれる要求ＩＤに対応する利用開始日時および接続状況格納手段内の要求ＩＤに対応する利用開始日時の中で、利用開始日時までの残り時間が最も長い要求ＩＤを抽出し、抽出した要求ＩＤが新たなデータ取得要求に含まれる場合には、当該新たなデータ取得要求を拒否し、抽出した要求ＩＤが接続状況格納手段内に格納されている場合には、当該要求ＩＤに対応するデータ取得要求を送信してきたクライアントとの間の接続を中断することを特徴とする情報配信方法を提供する。
【００１１】
また、本発明の第３の態様は、クライアントからの要求に応じて、当該クライアントにデータを配信する情報配信サーバを制御するプログラムであって、情報配信サーバを、クライアントからのデータ取得要求を識別する要求ＩＤ毎に、当該要求ＩＤを含むデータ取得要求に応じてクライアントへ配信されるべきコンテンツの中で最初に利用されるコンテンツの利用開始日時を格納する利用スケジュール格納手段、クライアントとの間で確立されている接続において、当該接続が確立される契機となったデータ取得要求に含まれる要求ＩＤを格納する接続状況格納手段、および新たなデータ取得要求をクライアントから受信した場合に、接続状況格納手段を参照して、接続状況格納手段内の要求ＩＤの数が予め定められた閾値以上である場合には、利用スケジュール格納手段を参照して、新たなデータ取得要求に含まれる要求ＩＤに対応する利用開始日時および接続状況格納手段内の要求ＩＤに対応する利用開始日時の中で、利用開始日時までの残り時間が最も長い要求ＩＤを抽出し、抽出した要求ＩＤが新たなデータ取得要求に含まれる場合には、当該新たなデータ取得要求を拒否し、抽出した要求ＩＤが接続状況格納手段内に格納されている場合には、当該要求ＩＤに対応するデータ取得要求を送信してきたクライアントとの間の接続を中断するデータ配信制御手段として機能させることを特徴とするプログラムを提供する。
【発明の効果】
【００１２】
本発明によれば、データを取得するためのクライアントによる通信時間を短くすることができると共に、データの利用開始日時までに当該データの配信を完了することができる。
【発明を実施するための最良の形態】
【００１３】
以下に、本発明の実施の形態について説明する。
【００１４】
図１は、本発明の一実施形態に係る情報配信システム１０の構成を例示するシステム構成図である。情報配信システム１０は、情報配信サーバ２０および複数の電子ペーパ３０を備える。情報配信サーバ２０は、インターネット等のネットワーク１１に接続されている。複数の電子ペーパ３０のそれぞれは、ネットワーク１１に接続された基地局１２と、例えば無線ＬＡＮによる無線通信を行うことにより、基地局１２を介して電子ペーパ３０と通信を行う。
【００１５】
情報配信サーバ２０は、電子ペーパ３０からデータ取得要求を受信した場合に、当該電子ペーパ３０との間で、当該データ取得要求によって指定されるデータを配信するための接続を確立して、当該データ取得要求によって指定されるデータを配信する。
【００１６】
また、情報配信サーバ２０は、電子ペーパ３０からデータ取得要求を受信した場合に、既に確立されている接続の数が予め定められた閾値に達しているならば、後述する方法を用いて、当該データ取得要求を拒否するか、あるいは、他の電子ペーパ３０との間で既に確立されているいずれかの接続を中断して当該データ取得要求に応じてデータを配信する。
【００１７】
また、情報配信サーバ２０は、それぞれの電子ペーパ３０によるデータ取得要求を送信すべき日時を管理しており、データ取得要求を拒否した場合、確立されている接続を中断した場合、または、データ取得要求に対応するデータの配信が終了した場合に、次回のデータ取得要求の送信日時を電子ペーパ３０に通知する。
【００１８】
なお、予め登録された電子ペーパ３０以外からのアクセスを拒否するために、ネットワーク１１と情報配信サーバ２０との間にファイアウォールが設けられていてもよい。
【００１９】
それぞれの電子ペーパ３０は、情報配信サーバ２０から通知されたデータ取得要求の送信日時に応じて、基地局１２を介して、情報配信サーバ２０へデータ取得要求を送信する。そして、電子ペーパ３０は、情報配信サーバ２０から取得したコンテンツを表示する。
【００２０】
本実施形態において、電子ペーパ３０は、表示中に電源を必要としないが、表示すべきデータを基地局１２を介して情報配信サーバ２０から取得するための通信、および、表示内容の更新時に、電力を必要とする。電子ペーパ３０は、外部からの給電を受けずに、内蔵するバッテリで駆動するため、消費電力を低減することは、電子ペーパ３０の稼働時間を長くすることにつながる。
【００２１】
図２は、情報配信サーバ２０の詳細な機能構成を例示するブロック図である。情報配信サーバ２０は、利用スケジュール格納部２１、利用情報格納部２２、コンテンツ格納部２３、接続状況格納部２４、データ配信制御部２５、および要求日時格納部２６を有する。
【００２２】
コンテンツ格納部２３は、例えば図３に示すように、コンテンツ本体２３２および当該コンテンツ本体が格納されているファイルのファイル名２３１を、それぞれのコンテンツを識別するコンテンツＩＤ２３０に対応付けて格納している。本実施形態において、それぞれのコンテンツは、静止画像、動画像、テキスト、またはそれらの組み合わせである。
【００２３】
利用情報格納部２２は、例えば図４に示すように、それぞれの利用情報ファイルを識別する利用情報ＩＤ２２０毎に、利用情報ファイル本体２２１を格納している。本実施形態において、それぞれの利用情報ファイルは、例えば図５に示すようにＸＭＬ形式で記述され、電子ペーパ３０によって表示されるコンテンツの表示順番や表示時間等に関する情報を格納する。
【００２４】
なお、図５に示した利用情報ファイルの例では、コンテンツＩＤが００１であり、ファイル名がａａａ．ｂｍｐのコンテンツを３０秒間表示させた後に、コンテンツＩＤが００２であり、ファイル名がｂｂｂ．ｂｍｐのコンテンツを１５秒間表示させる旨の情報が記述されている。
【００２５】
利用スケジュール格納部２１は、例えば図６に示すように、複数のレコード２１５を格納している。それぞれのレコード２１５には、電子ペーパ３０からのデータ取得要求を識別する要求ＩＤ２１０、それぞれの電子ペーパ３０を識別するクライアントＩＤ２１１、利用情報ＩＤ２１２、利用情報ファイルによって指定されるコンテンツの利用開始日時２１３、および、当該利用情報ファイルによって指定されるコンテンツの利用終了日時２１４が含まれる。
【００２６】
利用スケジュール格納部２１を参照することにより、データ配信制御部２５は、データ取得要求を電子ペーパ３０から受信した場合に、当該データ取得要求に含まれる要求ＩＤに対応する利用情報ＩＤを特定し、特定した利用情報ＩＤに対応する利用情報ファイルを利用情報格納部２２から抽出し、抽出した利用情報ファイルに記述されているコンテンツＩＤに対応するコンテンツをコンテンツ格納部２３から抽出することができる。
【００２７】
また、利用スケジュール格納部２１を参照することにより、データ配信制御部２５は、データ取得要求を電子ペーパ３０から受信した場合に、当該データ取得要求に含まれる要求ＩＤに対応するコンテンツの利用開始日時および利用終了日時を取得することができる。
【００２８】
また、利用スケジュール格納部２１を参照することにより、データ配信制御部２５は、データ取得要求に含まれる要求ＩＤ対応する利用情報ファイルおよびコンテンツの配信が終了した場合に、当該データ取得要求を送信してきた電子ペーパ３０のクライアントＩＤに基づいて、次に配信すべきコンテンツの利用開始日時および要求ＩＤを特定することができる。
【００２９】
接続状況格納部２４は、例えば図７に示すように、電子ペーパ３０との間で現在確立されている接続において、当該接続が確立される契機となったデータ取得要求に含まれる要求ＩＤ２４０に対応付けて、当該接続によって配信すべきデータの中の配信済みのデータに関する情報である配信済み情報２４１、および、当該接続によって配信すべきデータに対する配信済みのデータの割合を示す配信終了割合２４２を格納する。
【００３０】
接続状況格納部２４を参照することにより、データ配信制御部２５は、データを配信するために電子ペーパ３０との間で現在確立されている接続の数を特定することができる。また、配信済み情報２４１を参照することにより、データ配信制御部２５は、接続を中断した場合に、次回の接続において、どの部分から配信を再開すべきかを特定することができる。また、配信終了割合２４２を参照することにより、データ配信制御部２５は、配信すべきデータの配信が終了している割合が高い接続を特定することができる。
【００３１】
要求日時格納部２６は、例えば図８に示すように、データ取得要求の次回の送信日時として電子ペーパ３０に通知した要求日時２６１を、当該データ取得要求に含まれるべき要求ＩＤ２６０に対応付けて格納する。また、要求日時格納部２６は、データ取得要求が、中断された接続に対する再要求である場合、当該データ取得要求に対して配信されていないデータに関する情報を示す未配信情報２６２を、要求ＩＤ２６０に対応付けて格納する。
【００３２】
要求日時格納部２６を参照することにより、データ配信制御部２５は、任意の時間帯の接続数を特定することができる。また、要求日時格納部２６を参照することにより、データ配信制御部２５は、受信したデータ取得要求において、既に配信済みのデータがある場合には、未配信のデータから配信を再開することができる。
【００３３】
データ配信制御部２５は、ネットワーク１１を介して電子ペーパ３０から、要求ＩＤを含む新たなデータ取得要求を受信した場合に、接続状況格納部２４を参照して、現在の接続数が予め定められた閾値以上であるか否かを判定する。本実施形態において、閾値は例えば１である。
【００３４】
現在の接続数が閾値未満である場合、データ配信制御部２５は、受信したデータ取得要求に含まれる要求ＩＤを接続状況格納部２４に登録すると共に、当該データ取得要求を送信してきた電子ペーパ３０との間で、データを配信するための接続を確立する。そして、データ配信制御部２５は、受信したデータ取得要求に含まれる要求ＩＤに基づき利用スケジュール格納部２１を参照して、利用情報ＩＤ、利用開始日時、および利用終了日時を抽出する。
【００３５】
次に、データ配信制御部２５は、抽出した利用情報ＩＤに基づき利用情報格納部２２を参照して、対応する利用情報ファイルを抽出する。そして、データ配信制御部２５は、抽出した利用情報ファイルに記述されているコンテンツＩＤに対応するコンテンツをコンテンツ格納部２３から抽出する。抽出した利用情報ファイルに複数のコンテンツＩＤが記述されている場合、データ配信制御部２５は、全てのコンテンツＩＤに対応するコンテンツをコンテンツ格納部２３から抽出する。
【００３６】
そして、データ配信制御部２５は、抽出した利用情報ファイル、コンテンツ、利用開始日時、および利用終了日時の配信を開始する。なお、データ配信制御部２５は、利用開始日時を示すデータおよび利用情報ファイルを、利用終了日時を示すデータまたはコンテンツよりも先に配信する。
【００３７】
また、利用情報ファイル内に複数のコンテンツＩＤが記述されている場合、データ配信制御部２５は、複数のコンテンツを送信する場合に、先に利用されるべきコンテンツとして記述されているコンテンツから先に配信する。これにより、コンテンツの配信が、当該コンテンツの利用開始日時までに間に合わなくなる確率をさらに低くすることができる。
【００３８】
データ配信制御部２５は、配信すべきデータを、所定単位の分割データに分割して配信し、分割データ毎に、電子ペーパ３０から受信確認応答を受信してから次の分割データを送信する。データ配信制御部２５は、受信確認応答を受信した分割データまでの配信が終了したものと判定して、接続状況格納部２４内の配信済み情報および配信終了割合を更新する。
【００３９】
データ取得要求に応じて送信すべきデータを全て送信した場合、データ配信制御部２５は、当該データ取得要求に含まれていた要求ＩＤに基づいて利用スケジュール格納部２１を参照し、同一のクライアントへ配信すべきコンテンツの中で、最も早い利用開始日時を特定する。そして、データ配信制御部２５は、特定した利用開始日時から所定時間前（例えば１時間前）を要求日時として算出する。
【００４０】
そして、データ配信制御部２５は、要求日時格納部２６を参照して、算出した要求日時における接続数が閾値未満となるか否かを判定する。閾値未満となる場合、データ配信制御部２５は、算出した要求日時を、当該要求日時に送信されるデータ取得要求の要求ＩＤに対応付けて要求日時格納部２６に格納すると共に、当該要求日時を含む要求スケジュールを電子ペーパ３０へ送信する。
【００４１】
一方、算出した要求日時における接続数が閾値以上となる場合、データ配信制御部２５は、要求日時格納部２６を参照して、算出した要求日時よりも早い時間帯であって、接続数が閾値未満となる時間帯を検索し、検索した時間帯に含まれる日時を要求日時格納部２６に格納すると共に、電子ペーパ３０へ送信する。これにより、接続数が閾値に達している状況でデータ取得要求を受信する確率を低く抑えることができる。
【００４２】
なお、本実施形態において、データ配信制御部２５は、配信すべきデータを、ファイル単位に分割して配信する。また、利用開始日時および利用終了日時は、１つのファイルに含めて配信されてもよい。
【００４３】
また、新たなデータ取得要求を受信した場合に現在の接続数が閾値以上であるならば、データ配信制御部２５は、利用スケジュール格納部２１を参照して、当該新たなデータ取得要求に含まれる要求ＩＤに対応する利用開始日時、および、接続状況格納部２４内の要求ＩＤに対応する利用開始日時の中で、利用開始日時までの残り時間が最も長い要求ＩＤを、延期すべきデータ取得要求の要求ＩＤまたは中断すべき接続の要求ＩＤとして特定する。
【００４４】
なお、残り時間が最も長い要求ＩＤが複数存在する場合、データ配信制御部２５は、接続状況格納部２４を参照して、当該残り時間が最も長い要求ＩＤの中で、配信済みのデータの割合が最も高い要求ＩＤを、中断すべき接続の要求ＩＤとして特定する。
【００４５】
次に、データ配信制御部２５は、特定した要求ＩＤを除いた要求ＩＤに対応するデータ取得要求または接続において、接続数が閾値未満となる日時を予想する。データ配信制御部２５は、例えば、未配信のデータの総量、または、データを配信すべき電子ペーパ３０の過去のデータ伝送速度の実績値等を用いて、それぞれの電子ペーパ３０について、データの配信が終了する日時を予想する。
【００４６】
そして、データ配信制御部２５は、要求日時格納部２６を参照して、予想した日時において同時接続数が閾値未満となるか否かを判定する。予想した日時において、同時接続数が閾値未満となる場合、データ配信制御部２５は、当該予想した日時を次回の要求日時として、当該要求日時において送信されるデータ取得要求の要求ＩＤに対応付けて要求日時格納部２６に格納する。
【００４７】
そして、データ配信制御部２５は、データ取得要求を延期する場合には、次回の要求日時および要求ＩＤを含む延期指示を電子ペーパ３０へ送信し、確立中の接続を中断する場合には、次回の要求日時および要求ＩＤを含む中断指示を電子ペーパ３０へ送信して接続を解除する。なお、確立中の接続を中断する場合、データ配信制御部２５は、現在配信中の分割データの配信が終了してから、確立されている接続を解除する。
【００４８】
また、予想した日時において同時接続数が閾値以上となる場合、データ配信制御部２５は、要求日時格納部２６を参照して、予想した日時以降であって、同時接続数が閾値未満となる時間帯を検索し、検索した時間帯に含まれる日時を次回の要求日時として要求日時格納部２６に格納すると共に、電子ペーパ３０へ送信する。
【００４９】
図９は、情報配信サーバ２０の機能を実現するハードウェアの構成を例示する図である。情報配信サーバ２０は、ＣＰＵ（Central Processing Unit）２００、ＲＡＭ（Random Access Memory）２０１、ＲＯＭ（Read Only Memory）２０２、ＨＤＤ（Hard Disk Drive）２０３、通信インターフェイス２０４、入力インターフェイス２０５、出力インターフェイス２０６、およびメディアインターフェイス２０７を備える。
【００５０】
ＣＰＵ２００は、ＲＯＭ２０２またはＨＤＤ２０３に格納されたプログラムに基づいて動作し、各部の制御を行う。ＲＯＭ２０２は、情報配信サーバ２０の起動時にＣＰＵ２００によって実行されるブートプログラムや、情報配信サーバ２０のハードウェアに依存するプログラム等を格納する。
【００５１】
ＨＤＤ２０３は、ＣＰＵ２００によって実行されるプログラムおよびＣＰＵ２００によって使用されるデータ等を格納する。通信インターフェイス２０４は、ネットワーク１１を介して電子ペーパ３０等から受信したデータをＣＰＵ２００へ送ると共に、ＣＰＵ２００によって生成されたデータを、ネットワーク１１を介して電子ペーパ３０へ送信する。
【００５２】
ＣＰＵ２００は、入力インターフェイス２０５を介して、キーボードやマウス等の入力装置を制御し、入力インターフェイス２０５を介して入力装置からデータを取得する。また、ＣＰＵ２００は、出力インターフェイス２０６を介して、ＬＣＤ（Liquid Crystal Display）等の出力装置を制御し、生成したデータを、出力インターフェイス２０６を介して出力装置へ出力する。
【００５３】
メディアインターフェイス２０７は、記録媒体２０８に格納されたプログラムまたはデータを読み取り、ＲＡＭ２０１に提供する。ＲＡＭ２０１を介してＣＰＵ２００に提供されるプログラムは、記録媒体２０８に格納されている。当該プログラムは、記録媒体２０８から読み出されて、ＲＡＭ２０１を介して情報配信サーバ２０にインストールされ、ＣＰＵ２００によって実行される。
【００５４】
ＨＤＤ２０３または記録媒体２０８には、利用スケジュール格納部２１、利用情報格納部２２、コンテンツ格納部２３、接続状況格納部２４、および要求日時格納部２６内のデータが格納される。情報配信サーバ２０にインストールされて実行されるプログラムは、情報配信サーバ２０を、利用スケジュール格納部２１、利用情報格納部２２、コンテンツ格納部２３、接続状況格納部２４、データ配信制御部２５、および要求日時格納部２６として機能させる。
【００５５】
情報配信サーバ２０は、これらのプログラムを、記録媒体２０８から読み取って実行するが、他の例として、情報配信サーバ２０は、これらのプログラムを、ネットワーク１１を介して他の装置から取得してもよい。記録媒体２０８は、例えばＤＶＤ、ＰＤ等の光学記録媒体、ＭＯ等の光磁気記録媒体、テープ媒体、磁気記録媒体、または半導体メモリ等である。
【００５６】
図１０は、電子ペーパ３０の詳細な機能構成を例示するブロック図である。電子ペーパ３０は、コンテンツ表示部３１、コンテンツ格納部３２、コンテンツ取得部３３、要求日時格納部３４、無線通信部３５、およびアンテナ３６を有する。
【００５７】
コンテンツ格納部３２は、例えば図１１に示すように、コンテンツの利用開始日時３２１、コンテンツの利用終了日時３２２、利用情報ファイル本体３２３、および少なくとも１つのコンテンツ本体３２４を、これらの情報を取得した際のデータ取得要求の要求ＩＤ３２０に対応付けて格納する。コンテンツ格納部３２は、少なくとも、コンテンツ表示部３１によって現在表示されているコンテンツに関する情報と、次にコンテンツ表示部３１によって表示されるべきコンテンツに関する情報とを格納する。
【００５８】
コンテンツ表示部３１は、電子ペーパ３０が内蔵する計時機能およびコンテンツ格納部３２を参照して、利用開始日時から利用終了日時まで、対応する利用情報ファイルの記述に従って、対応するコンテンツを表示パネルに表示する。要求日時格納部３４は、例えば図１２に示すように、次にデータ取得要求を送信すべき要求日時３４１を、当該データ取得要求に含めるべき要求ＩＤに対応付けて格納する。
【００５９】
無線通信部３５は、例えばＩＥＥＥ８０２．１１ａやＩＥＥＥ８０２．１１ｂ等の無線ＬＡＮの規格に基づいて、アンテナ３６を介して基地局１２と無線通信を行う。コンテンツ取得部３３は、無線通信部３５を介して、基地局１２と無線通信を行う。
【００６０】
なお、他の形態として、無線通信部３５は、ＰＨＳ（Personal Handyphone System）、ＷＣＤＭＡ（Wideband Code Division Multiple Access）、またはＷｉＭＡＸ（Worldwide Interoperability for Microwave Access）等の無線通信方式により最寄りの基地局１２と無線通信を行ってもよい。
【００６１】
コンテンツ取得部３３は、電子ペーパ３０が内蔵する計時機能および要求日時格納部３４を参照して、要求日時格納部３４内の要求日時において、要求日時格納部３４内に格納された要求ＩＤを含むデータ取得要求を送信する。そして、情報配信サーバ２０との間で接続が確立された場合、コンテンツ取得部３３は、情報配信サーバ２０から利用情報ファイル、コンテンツ、利用開始日時、および利用終了日時を取得し、要求ＩＤに対応付けてコンテンツ格納部３２に格納する。
【００６２】
コンテンツ取得部３３は、データを所定単位毎の分割データとして受信し、分割データを受信する毎に、受信した分割データの識別情報および要求ＩＤを含む受信確認応答を電子ペーパ３０へ送信する。また、要求日時および要求ＩＤを含む延期指示、中断指示、または要求スケジュールを受信した場合、コンテンツ取得部３３は、受信した要求日時および要求ＩＤを要求日時格納部３４に格納する。
【００６３】
図１３は、電子ペーパ３０の機能を実現するハードウェアの構成を例示する図である。電子ペーパ３０は、ＣＰＵ（Central Processing Unit）３００、ＲＡＭ（Random Access Memory）３０１、ＲＯＭ（Read Only Memory）３０２、無線通信装置３０３、および表示パネル３０４を備える。
【００６４】
ＣＰＵ３００は、ＲＯＭ３０２に格納されたプログラムに基づいて動作し、各部の制御を行う。ＲＯＭ３０２は、電子ペーパ３０の起動時にＣＰＵ３００によって実行されるプログラムや、電子ペーパ３０のハードウェアに依存するプログラム、ＣＰＵ３００によって使用されるデータ等を格納する。本実施形態において、ＲＯＭ３０２は、例えばＥＥＰＲＯＭ（Electronically Erasable and Programmable Read Only Memory）やフラッシュＲＯＭ等の書き換え可能な不揮発性メモリである。
【００６５】
無線通信装置３０３は、基地局１２と無線ＬＡＮに基づく無線通信を行い、基地局１２を介して情報配信サーバ２０から受信したデータをＣＰＵ３００へ送ると共に、ＣＰＵ３００によって生成されたデータを、ネットワーク１１を介して情報配信サーバ２０へ送信する。
【００６６】
ＣＰＵ３００は、表示パネル３０４を制御し、生成したデータを表示パネル３０４に表示する。表示パネル３０４は、反射型のディスプレイであり、表示されているデータの更新時に電力を必要とするが、データの表示の維持には電力を必要としない。
【００６７】
ＣＰＵ３００は、表示パネル３０４に表示されているデータを更新する場合、または、無線通信装置３０３を介して、表示パネル３０４に表示すべきコンテンツに関する情報を取得する場合以外は、スリープして消費電力を低く抑える。
【００６８】
ＲＯＭ３０２には、コンテンツ格納部３２および要求日時格納部３４内のデータが格納される。電子ペーパ３０にインストールされて実行されるプログラムは、電子ペーパ３０を、コンテンツ表示部３１、コンテンツ格納部３２、コンテンツ取得部３３、要求日時格納部３４、および無線通信部３５として機能させる。なお、他の例として、電子ペーパ３０は、これらのプログラムを、ネットワーク１１を介して他の装置から取得してもよい。
【００６９】
図１４は、情報配信サーバ２０の動作の一例を示すフローチャートである。例えば電源が投入される等の所定のタイミングで、情報配信サーバ２０は、本フローチャートに示す動作を開始する。
【００７０】
まず、データ配信制御部２５は、ネットワーク１１を介して、新たなデータ取得要求を受信したか否かを判定する（Ｓ１００）。新たなデータ取得要求を受信した場合（Ｓ１００：Ｙｅｓ）、データ配信制御部２５は、接続状況格納部２４を参照して、現在の接続数が予め定められた閾値以上であるか否かを判定する（Ｓ１０１）。
【００７１】
現在の接続数が閾値未満である場合（Ｓ１０１：Ｎｏ）、データ配信制御部２５は、データ取得要求を送信してきた電子ペーパ３０との間で、データを配信するための接続を確立すると共に、当該データ取得要求に含まれる要求ＩＤを接続状況格納部２４に登録する（Ｓ１０６）。
【００７２】
次に、データ配信制御部２５は、受信したデータ取得要求に含まれる要求ＩＤに基づき利用スケジュール格納部２１、利用情報格納部２２、およびコンテンツ格納部２３を参照して、利用情報ファイル、コンテンツ、利用開始日時、および利用終了日時を抽出し、抽出したデータの配信を開始する（Ｓ１０７）。
【００７３】
なお、ステップＳ１０７において、要求日時格納部２６内に対応する未配信情報が格納されている場合、データ配信制御部２５は、当該未配信情報で示される分割データから、配信を再開する。
【００７４】
ステップＳ１０１において、現在の接続数が閾値以上である場合（Ｓ１０１：Ｙｅｓ）、データ配信制御部２５は、利用スケジュール格納部２１を参照して、当該新たなデータ取得要求に含まれる要求ＩＤに対応する利用開始日時、および、接続状況格納部２４内の要求ＩＤに対応する利用開始日時の中で、利用開始日時までの残り時間が最も長い要求ＩＤを、延期すべきデータ取得要求の要求ＩＤまたは中断すべき接続の要求ＩＤとして特定する（Ｓ１０２）。
【００７５】
次に、データ配信制御部２５は、特定した要求ＩＤを除いた要求ＩＤに対応する接続において、現在の接続数が閾値未満となる日時を算出する（Ｓ１０３）。そして、データ配信制御部２５は、要求日時格納部２６を参照して、算出した日時において、同時接続数が閾値未満となるか否かを判定する。
【００７６】
算出した日時において、同時接続数が閾値未満となる場合、データ配信制御部２５は、当該算出した日時を次回の要求日時として、当該要求日時において送信されるデータ取得要求の要求ＩＤに対応付けて要求日時格納部２６に格納する（Ｓ１０４）。そして、データ配信制御部２５は、データ取得要求を延期するならば、次回の要求日時および要求ＩＤを含む延期指示を電子ペーパ３０へ送信し、確立中の接続を中断するならば、次回の要求日時および要求ＩＤを含む中断指示を電子ペーパ３０へ送信する（Ｓ１０５）。
【００７７】
ステップＳ１０３で算出した日時において、同時接続数が閾値以上となる場合、データ配信制御部２５は、要求日時格納部２６を参照して、算出した日時以降であって、同時接続数が閾値未満となる時間帯を検索し、検索した時間帯に含まれる日時を次回の要求日時として要求日時格納部２６に格納し（Ｓ１０４）、データ取得要求を延期するならば、次回の要求日時および要求ＩＤを含む延期指示を電子ペーパ３０へ送信し、確立中の接続を中断するならば、次回の要求日時および要求ＩＤを含む中断指示を電子ペーパ３０へ送信する（Ｓ１０５）。
【００７８】
なお、ステップＳ１０２から１０５において、確立されているいずれかの接続が中断された場合、データ配信制御部２５は、ステップＳ１００において受信したデータ取得要求に応じて接続を確立し、ステップＳ１０６およびＳ１０７に示した処理を実行する。
【００７９】
ステップＳ１００において、新たなデータ取得要求を受信していない場合（Ｓ１００：Ｙｅｓ）、データ配信制御部２５は、受信確認応答を受信したか否かを判定する（Ｓ１０８）。受信確認応答を受信していない場合（Ｓ１０８：Ｎｏ）、データ配信制御部２５は、再びステップＳ１００に示した処理を実行する。
【００８０】
受信確認応答を受信した場合（Ｓ１０８：Ｙｅｓ）、データ配信制御部２５は、受信したデータ取得要求に応じて配信すべきデータを全て配信したか否かを判定する（Ｓ１０９）。配信すべきデータを全て配信していない場合（Ｓ１０９：Ｎｏ）、データ配信制御部２５は、ステップＳ１０８において受信した受信確認応答に含まれる要求ＩＤおよび受信が完了した分割データの識別情報に基づいて、接続状況格納部２４内の配信済み情報２４１および配信終了割合２４２を更新し（Ｓ１１４）、データ配信制御部２５は、再びステップＳ１００に示した処理を実行する。
【００８１】
データ取得要求に応じて配信すべきデータを全て配信した場合（Ｓ１０９：Ｙｅｓ）、データ配信制御部２５は、当該データの配信の契機となったデータ取得要求に含まれる要求ＩＤを接続状況格納部２４から削除する（Ｓ１１０）。そして、データ配信制御部２５は、利用スケジュール格納部２１を参照して、接続状況格納部２４から削除した要求ＩＤに対応するクライアントＩＤについて、利用開始日時が最も早い要求ＩＤを抽出する（Ｓ１１１）。
【００８２】
次に、データ配信制御部２５は、抽出した利用開始日時から所定時間前を要求日時として算出し、要求日時格納部２６を参照して、算出した要求日時の接続数が閾値未満となるか否かを判定する。閾値未満となる場合、データ配信制御部２５は、算出した要求日時を、電子ペーパ３０に通知する要求日時として決定する。
【００８３】
一方、算出した要求日時の接続数が閾値以上となる場合、データ配信制御部２５は、要求日時格納部２６を参照して、算出した要求日時よりも早い時間帯であって、接続数が閾値未満となる時間帯を検索し、検索した時間帯に含まれる日時を、電子ペーパ３０に通知する要求日時として決定する（Ｓ１１２）。
【００８４】
次に、データ配信制御部２５は、決定した要求日時を、当該要求日時に送信されるデータ取得要求の要求ＩＤに対応付けて要求日時格納部２６に格納すると共に、当該要求日時および要求ＩＤを含む要求スケジュールを電子ペーパ３０へ送信し（Ｓ１１３）、データ配信制御部２５は、再びステップＳ１００に示した処理を実行する。
【００８５】
以上、本発明の実施の形態について説明した。
【００８６】
上記説明から明らかなように、本発明の情報配信システム１０によれば、データを取得するための電子ペーパ３０による通信時間を短くすることができると共に、データの利用開始日時までに当該データの配信を完了することができる。
【００８７】
なお、本発明は、上記の各実施形態に限定されるものではなく、その要旨の範囲内で数々の変形が可能である。
【００８８】
例えば、上記した実施形態において、情報配信サーバ２０は、利用スケジュール格納部２１、利用情報格納部２２、コンテンツ格納部２３、接続状況格納部２４、データ配信制御部２５、および要求日時格納部２６を有する１つの装置として説明したが、他の形態として、情報配信サーバ２０内のそれぞれの機能は、１つ以上の装置内に設けられ、それぞれの装置が信号線で接続されることにより、全体として情報配信サーバ２０の機能を実現するように構成されてもよい。
【００８９】
また、上記した実施形態では、クライアントとして電子ペーパ３０を例に説明したが、本発明はこれに限られず、通信機能を有するコンピュータや、通信機能を有する携帯情報端末等も、クライアントとして本発明に適用することができる。
【図面の簡単な説明】
【００９０】
【図１】本発明の一実施形態に係る情報配信システム１０の構成を例示するシステム構成図である。
【図２】情報配信サーバ２０の詳細な機能構成を例示するブロック図である。
【図３】コンテンツ格納部２３に格納されるデータ構造を例示する図である。
【図４】利用情報格納部２２に格納されるデータ構造を例示する図である。
【図５】利用情報格納部２２に格納される利用情報ファイルに記述される情報を例示する概念図である。
【図６】利用スケジュール格納部２１に格納されるデータ構造を例示する図である。
【図７】接続状況格納部２４に格納されるデータ構造を例示する図である。
【図８】要求日時格納部２６に格納されるデータ構造を例示する図である。
【図９】情報配信サーバ２０の機能を実現するハードウェアの構成を例示する図である。
【図１０】電子ペーパ３０の詳細な機能構成を例示するブロック図である。
【図１１】コンテンツ格納部３２に格納されるデータ構造を例示する図である。
【図１２】要求日時格納部３４に格納されるデータ構造を例示する図である。
【図１３】電子ペーパ３０の機能を実現するハードウェアの構成を例示する図である。
【図１４】情報配信サーバ２０の動作の一例を示すフローチャートである。
【符号の説明】
【００９１】
１０・・・情報配信システム、１１・・・ネットワーク、１２・・・基地局、２０・・・情報配信サーバ、２００・・・ＣＰＵ、２０１・・・ＲＡＭ、２０２・・・ＲＯＭ、２０３・・・ＨＤＤ、２０４・・・通信インターフェイス、２０５・・・入力インターフェイス、２０６・・・出力インターフェイス、２０７・・・メディアインターフェイス、２０８・・・記録媒体、２１・・・利用スケジュール格納部、２２・・・利用情報格納部、２３・・・コンテンツ格納部、２４・・・接続状況格納部、２５・・・データ配信制御部、２６・・・要求日時格納部、３０・・・電子ペーパ、３００・・・ＣＰＵ、３０１・・・ＲＡＭ、３０２・・・ＲＯＭ、３０３・・・無線通信装置、３０４・・・表示パネル、３１・・・コンテンツ表示部、３２・・・コンテンツ格納部、３３・・・コンテンツ取得部、３４・・・要求日時格納部、３５・・・無線通信部、３６・・・アンテナ
【図１】
2008071155.tif 000003
【図２】
2008071155.tif 000004
【図３】
2008071155.tif 000005
【図４】
2008071155.tif 000006
【図５】
2008071155.tif 000007
【図６】
2008071155.tif 000008
【図７】
2008071155.tif 000009
【図８】
2008071155.tif 000010
【図９】
2008071155.tif 000011
【図１０】
2008071155.tif 000012
【図１１】
2008071155.tif 000013
【図１２】
2008071155.tif 000014
【図１３】
2008071155.tif 000015
【図１４】
2008071155.tif 000016